(57)【要約】【課題】画像表示装置を操作するために表示部に表示される操作キー画像の表示位置を変更して、所望の画像の表示領域を確保することができる画像表示装置を提供する。【解決手段】画像を再生する画像再生部と、画像を表示する表示部と、操作キー画像を前記表示部に表示させる操作キー画像表示制御部と、前記表示部に配置され、前記表示部に表示された前記操作キー画像に対する入力を感知して、前記操作キー画像の位置情報に変換するタッチパネルと、前記操作キー画像の表示位置を変更する操作キー画像表示位置変更部と、前記画像再生部により画像を再生する際、前記操作キー画像の表示位置を変更するか否かを確認する報知を行う報知部とを備える。【選択図】図１
2013012098.tif 000002
【特許請求の範囲】
【請求項１】
画像を再生する画像再生部と、
画像を表示する表示部と、
操作キー画像を前記表示部に表示させる操作キー画像表示制御部と、
前記表示部に配置され、前記表示部に表示された前記操作キー画像に対する入力を感知するタッチパネルと、
前記操作キー画像の表示位置を変更する操作キー画像表示位置変更部と、
前記画像再生部により画像を再生する際、前記操作キー画像の表示位置を変更するか否かを確認する報知を行う報知部と、
を備えることを特徴とする画像表示装置。
【請求項２】
テレビチューナを備え、前記操作キー画像は、前記画像再生部及び前記テレビチューナを操作する機能を有することを特徴とする請求項１記載の画像表示装置。
【請求項３】
地図情報に基づいて経路探索を行う経路探索部を備え、前記操作キー画像は、前記経路探索部による経路探索処理のための操作を行う機能を有することを特徴とする請求項１又は２記載の画像表示装置。
【発明の詳細な説明】
【技術分野】
【０００１】
本発明は、画像表示装置に関するものであり、特に、操作キー画像に対する入力を感知するタッチパネルを備えた画像表示装置に関するものである。
【背景技術】
【０００２】
例えば、画像表示装置として、車両に搭載され、衛星電波を受信して現在位置を算出し、地図情報とともに現在位置を表示部に表示させ、あるいは、目的地に至る移動経路を探索し、表示部に表示させて案内するナビゲーション装置が広範に利用されている。
【０００３】
この場合、ナビゲーション装置には、データの入力、表示の切り替え、地図画像のスクロール等、種々の操作処理を実施するための操作キーが設けられている。操作キーの形態としては、表示部の近傍にハードキーを配置させる形態や、タッチパネルを利用したソフトキーの形態がある。
【０００４】
上記のようなソフトキーの形態を採用した装置として、下記の特許文献１（特開２００３−１５７１３５号公報）には、地図情報等の画像を表示する表示部にタッチパネルを配置し、表示部に表示された操作キー画像を操作することで、所望の機能の選択等を可能としたナビゲーション装置が開示されている。
【０００５】
また、下記の特許文献２（特開２００７−０６７５９３号公報）には、コンテンツ表示部として用いられる第１のモニタと、操作パネルとして用いられる第２のモニタとを備えた動画像の表示装置が開示されている。
【先行技術文献】
【特許文献】
【０００６】
【特許文献１】特開２００３−１５７１３５号公報（要約書、図１３）
【特許文献２】特開２００７−０６７５９３号公報（図８）
【発明の概要】
【発明が解決しようとする課題】
【０００７】
ところで、最近のナビゲーション装置には、地図情報や移動経路を案内する機能に加えて、音楽や動画を楽しむことのできるＡＶ機能を搭載したものが多数販売されている。このような多機能のナビゲーション装置においては、例えば、ＤＶＤから読み出された映像のチャプタ画像が表示部に表示される場合に、チャプタ画像の一部に操作キー画像が重なってしまい、ユーザがチャプタ画像を確認できなくなってしまうおそれがある。特に、ＤＶＤから供給されるチャプタ画像は、その表示位置がＤＶＤのフォーマットによって予め定められているためナビゲーション装置側においてチャプタ画像の表示位置等を変更することができない。
【０００８】
また、上記特許文献２のように画像表示部と操作パネル表示部とを別個に設けることで上記の問題点は解消されるが、その場合、装置が大型化しコスト増を招くことになる。
【０００９】
本発明は、上記の問題点を解消することを課題とするものであり、画像再生部による画像の再生時において、表示部に表示される操作キー画像の表示位置変更の要否を確認し、ユーザにより選択された位置に表示位置を変更することで、操作キー画像の表示領域を確保することができる画像表示装置を提供することを目的とするものである。
【課題を解決するための手段】
【００１０】
前記課題を解決するために、本願の請求項１にかかる発明は、画像を再生する画像再生部と、画像を表示する表示部と、操作キー画像を前記表示部に表示させる操作キー画像表示制御部と、前記表示部に配置され、前記表示部に表示された前記操作キー画像に対する入力を感知して、前記操作キー画像の位置情報に変換するタッチパネルと、前記操作キー画像の表示位置を変更する操作キー画像表示位置変更部と、前記画像再生部により画像を再生する際、前記操作キー画像の表示位置を変更するか否かを確認する報知を行う報知部と、を備えることを特徴とする。
【００１１】
本願の請求項２にかかる発明は、請求項１係る画像表示装置において、テレビチューナを備え、前記操作キー画像は、前記画像再生部及び前記テレビチューナを操作する機能を有することを特徴とする。
【００１２】
本願の請求項３にかかる発明は、請求項１又は２にかかる画像表示装置において、地図情報に基づいて経路探索を行う経路探索部を備え、前記操作キー画像は、前記経路探索部による経路探索処理のための操作を行う機能を有することを特徴とする。
【発明の効果】
【００１３】
請求項１にかかる発明においては、画像を再生する画像再生部と、画像を表示する表示部と、操作キー画像を前記表示部に表示させる操作キー画像表示制御部と、前記表示部に配置され、前記表示部に表示された前記操作キー画像に対する入力を感知して、前記操作キー画像の位置情報に変換するタッチパネルと、前記操作キー画像の表示位置を変更する操作キー画像表示位置変更部と、前記画像再生部により画像を再生する際、前記操作キー画像の表示位置を変更するか否かを確認する報知を行う報知部と、を備える。
【００１４】
このように構成することにより、画像再生部による画像の再生時において、操作キー画像表示位置変更部は、表示部に表示される操作キー画像の表示位置を変更して、画像再生部により再生される画像の表示領域を確保することができる。
【００１５】
請求項２にかかる発明においては、請求項１にかかる画像表示装置において、画像再生部の機能を操作するための操作キー画像の表示位置を変更して、所望の画像の表示領域を確保することができる。
【００１６】
請求項３にかかる発明においては、請求項１又は２にかかる画像表示装置において、経路探索を行う機能やその他の機能を操作するための操作キー画像の表示位置を変更して、所望の画像の表示領域を確保することができる。
【図面の簡単な説明】
【００１７】
【図１】本発明の実施例におけるナビゲーション装置の構成ブロック図である。
【図２】図１に示すナビゲーション装置における操作キー画像の表示位置変更処理のフローチャートである。
【図３】図１に示すナビゲーション装置の表示部に表示されるナビゲーション画像の説明図である。
【図４】図１に示すナビゲーション装置の表示部に表示される操作キー画像の表示位置変更要否確認画像の説明図である。
【図５】図１に示すナビゲーション装置の表示部に表示される操作キー画像の表示位置選択画像の説明図である。
【図６】図１に示すナビゲーション装置の表示部に表示される操作キー画像の表示位置選択画像の他の実施例の説明図である。
【発明を実施するための形態】
【００１８】
以下、本発明の具体例を実施例及び図面を用いて詳細に説明する。但し、以下に示す実施形態は、本発明の技術的思想を具体化するための画像表示装置を例示するものであって、本発明をこの画像表示装置に特定することを意図するものではなく、特許請求の範囲に含まれるその他の実施形態の画像表示装置にも等しく適応し得るものである。
【００１９】
なお、以下に説明するナビゲーション装置１０は、図３及び図４に示すように、ナビゲーション装置１０の筐体面にハードキーを設けず、ハードキーに代わる操作キーとして、表示部に操作キー画像を表示し、表示された操作キー画像のうち所望のキー画像がユーザの指等により押圧又は接触された場合、後述するタッチパネル１６が該押圧又は接触を感知し、操作された操作キーを特定する信号を出力し、該出力に応じて後述する制御部１１が各種の処理を実行するものである。
【００２０】
そして、通常時において、上記操作キー画像は、表示部１７の下部に常時表示されているものとして説明するが、操作キー画像の表示位置を下部に限定するものでないことは勿論である。
【実施例】
【００２１】
図１は、本発明の実施例における画像表示装置であるナビゲーション装置１０の構成ブロック図である。
【００２２】
ナビゲーション装置１０は、車両に搭載されるものであり、制御部１１、ＧＰＳ受信部１２、自律航法センサ１３、地図情報記憶部１４、経路探索部１５、タッチパネル１６、表示部１７（報知部）、表示制御部１８（操作キー画像表示制御部）、スピーカ１９、ＤＶＤプレーヤ２０及びテレビチューナ２１を備えて構成される。
【００２３】
制御部１１は、ＣＰＵ２２（操作キー画像表示位置変更部）、ＲＡＭ２３及びＲＯＭ２４を備え、ＲＡＭ２３及び／又はＲＯＭ２４に記憶された制御プログラムをＣＰＵ２２が実行することにより、下記に説明するナビゲーション装置１０の各部の動作を制御・統括する。
【００２４】
ＧＰＳ受信部１２は、所定の時間間隔で地球上空を周回している複数のＧＰＳ衛星から時刻情報を含む電波（衛星信号）を受信し制御部１１へと出力する。そして、制御部１１は、受信した衛星信号に基づき、ナビゲーション装置１０を搭載した車両の現在位置を算出する。
【００２５】
自律航法センサ１３は、加速度を検出する加速度センサ、角速度を検出するジャイロセンサ等の自律航法手段であり、ＧＰＳ受信部１２により受信された衛星信号に基づいて算出された車両の現在位置を補完するための手段である。
【００２６】
地図情報記憶部１４には、移動経路を探索するための道路データ、建物データ、背景データ、テキストデータから構成される地図情報が記憶されている。
【００２７】
なお、地図情報は、外部の情報提供サーバ（図示せず）から取得し、最新の地図情報として地図情報記憶部１４に記憶させるようにしてもよい。
【００２８】
この場合、ナビゲーション装置１０には、外部の情報提供サーバと通信を行うための通信部（図示せず）を備える必要がある。
【００２９】
道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標（緯度・経度）、交差点情報や交差点名称を示す情報等のノード属性、さらに接続リンク本数、接続リンク番号のデータを含んで構成される。
【００３０】
リンクデータは、リンクの始点及び終点となるノード番号、高速道路や一般道や街路等を区別するための道路種別、ノード間の距離及び／又は所要時間、国道○号線のような道路名称のデータを含んで構成される。リンクデータには、上記に加えて、リンク属性として橋、トンネル、踏切、料金所等のデータが付与される。建物データは、建物の少なくとも３点からなる位置座標（緯度・経度）、ビル、民家等の建物の種別、表示色のデータを含んで構成される。また背景データは、海岸線、湖沼、河川形状、山林等の背景画像データとなる少なくとも３点からなる位置座標（緯度・経度）、表示色のデータを含んで構成される。テキストデータは、それぞれの地名や河川名等の文字（名称）、及びその座標（緯度・経度）のデータを含んで構成される。
【００３１】
経路探索部１５は、地図情報記憶部１４に記憶された地図情報と、ＧＰＳ受信部１２及び自律航法センサ１３を用いて算出された車両の現在位置、又は、タッチパネル１６から入力された出発地とに基づき、現在位置又は出発地から目的地までの最適な移動経路を探索する。
【００３２】
経路探索部１５は、現在位置又は出発地に対応する道路のノードから、目的位置に対応するノードに至るまでのリンクをダイクストラ法等の手法によって探索し、リンク長（リンクコスト）や所要時間を累積し、総リンク長（走行距離）又は総所要時間が最短となる経路を移動経路として探索する。
【００３３】
タッチパネル１６は、表示部１７に配置され、表示部１７に表示されたナビゲーション装置１０のソフトキーである操作キー画像に対する入力（ユーザの指等による押圧又は指等の接触）を感知して、操作された操作キーを特定する信号を出力する手段である。
【００３４】
タッチパネル１６は、移動経路を探索するため、ユーザが出発地、目的地、経由地等の入力操作を行うための操作キーとして機能するとともに、ＤＶＤプレーヤ２０又はテレビチューナ２１を操作するための操作キーとしても機能する。
【００３５】
表示部１７は、地図画像とともに探索された車両の移動経路、操作キー画像、ＤＶＤプレーヤ２０により再生された映像、及び、テレビチューナ２１により生成された映像を表示するものであり、例えば、液晶パネルにより構成することができる。また、表示部１７は、操作キー画像の表示位置を変更するか否かをユーザに確認するための後述する確認画像を表示して報知する報知部としても機能する。
【００３６】
表示制御部１８は、上記のナビゲーション画面、操作キー画像、再生画像、テレビ映像、確認画像等を表示部１７に表示させる制御を行う。
【００３７】
スピーカ１９は、ナビゲーション装置１０を用いた移動経路の案内時においてユーザに音声案内を行う一方、ＤＶＤプレーヤ２０やテレビチューナ２１による映像に対する音声を出力する。
【００３８】
ＤＶＤプレーヤ２０は、ＤＶＤの映像を再生し、テレビチューナ２１は、テレビ番組の映像を生成する。
【００３９】
本実施例のナビゲーション装置１０は、基本的には以上のように構成される。
【００４０】
次に、図２に示すフローチャートに従い、ナビゲーション装置１０の動作について説明する。
【００４１】
ユーザが車両に乗車し、エンジンを始動させると、ナビゲーション装置１０の電源がＯＮとなる（ステップＳ１０１）。
【００４２】
ナビゲーション装置１０の電源がＯＮとなると、図３に示すように、表示部１７に、ナビゲーション装置１０を操作する操作キー画像２５と、ナビゲーション画像２６とが表示される。この表示部１７に対する操作キー画像２５の表示は、制御部１１のＣＰＵ２２が、表示制御部１８を制御することで実現される。
【００４３】
次いで、ユーザによりＤＶＤが挿入されたか否かを判定し（ステップＳ１０２）、ユーザによりＤＶＤが挿入されていない場合（ステップＳ１０２：ＮＯ）、表示制御部１８は、図３に示すように、表示部１７に、ナビゲーション装置１０を操作する操作キー画像２５と、ナビゲーション画像２６とを表示させた状態を維持する（ステップＳ１０３）。
【００４４】
図３に示す画像が表示された状態において、ユーザは、操作キー画像２５の所望のアイコンにタッチすることにより、例えば、目的地及び経由地、必要に応じて出発地を入力することで、移動経路２７の探索を指示する。移動経路２７の探索指示を受け付けたＣＰＵ２２は、経路探索部１５を制御して移動経路２７の探索を実行させる。
【００４５】
そこで、経路探索部１５は、地図情報記憶部１４に記憶されている地図情報と、入力された目的地、経由地、出発地又は現在位置とに基づき、最適な移動経路２７を探索する。
【００４６】
移動経路２７が探索されると、表示制御部１８は、車両の現在位置２８とともに、移動経路２７を表示部１７に表示させる。
【００４７】
なお、車両の現在位置は、ＧＰＳ受信部１２により受信したＧＰＳ信号と、自律航法センサ１３により検出した加速度や角速度の信号とに基づいて算出される。ユーザは、表示された探索経路２７に従い、所望の目的地に移動することができる。
【００４８】
一方、ユーザによりＤＶＤが挿入されたと判定した場合（ステップＳ１０２：ＹＥＳ）、ＣＰＵ２２は、表示制御部１８を制御し、図４に示すように、表示部１７に、ナビゲーション装置１０を操作する操作キー画像２５と、ＤＶＤ再生画像２９とを表示させる（ステップＳ１０４）。
【００４９】
ここで、図４では、ＤＶＤ再生画像２９として、再生画像３０と、再生画像３０の再生位置を選択するため、再生画像３０から切り出した特定画像であるチャプタ画像３１とが表示されている。なお、ＤＶＤ再生画像としては、再生画像３０及びチャプタ画像３１の組み合わせだけでなく、例えば、チャプタ画像３１のみが表示される場合もあり得る。再生画像３０及びチャプタ画像３１の表示部１７における表示位置は、ＤＶＤのフォーマットによって予め定められている。図４に示す表示部１７の例では、操作キー画像２５とチャプタ画像３１とが重なった状態で表示されており、チャプタ画像３１の全体を確認できない状態となっている。
【００５０】
そこで、ＣＰＵ２２は、表示制御部１８を制御し、表示部１７にＤＶＤ再生画像２９が表示された時点で、操作キー画像２５の表示位置の変更要否を確認する変更要否確認画像３２を表示部１７の中央部に表示させる（ステップＳ１０５）。
【００５１】
なお、図４に示す例では、変更要否確認画像３２として、「操作キー表示位置を変更しますか？」というメッセージが表示されている。
【００５２】
図４に示す変更要否確認画像３２において、ユーザが「ＹＥＳ」の操作キーにタッチし、操作キー画像２５の表示位置の変更を選択すると（ステップＳ１０６：ＹＥＳ）、ＣＰＵ２２は、表示制御部１８を制御し、図５に示すように、表示部１７に、操作キー画像２５を表示する表示位置を選択するための表示位置選択画像３３〜３６を表示させる（ステップＳ１０７）。
【００５３】
なお、表示位置選択画像３３〜３６は、ＤＶＤ再生画像２９の上、右、下、左の各位置のいずれかに操作キー画像２５を表示させる場所を示している。
【００５４】
ユーザが表示位置選択画像３３〜３６の１つを選択すると、ＣＰＵ２２は、操作キー画像２５の表示位置の変更指示があったものと判断し（ステップＳ１０８：ＹＥＳ）、表示制御部１８を制御して、操作キー画像２５を選択された表示位置に表示させる表示位置変更制御を行う（ステップＳ１０９）。
【００５５】
例えば、表示位置選択画像３４の表示位置がユーザによって選択された場合、操作キー画像２５は、表示位置選択画像３４の位置に表示されるため、チャプタ画像３１の全体が確認可能な状態となる。
【００５６】
なお、図５に示す表示位置選択画像３３〜３６に代えて、図６に示す表示位置選択画像３７〜４０をＤＶＤ再生画像２９に表示させ、これらの表示位置選択画像３７〜４０の１つを選択するようにしてもよい。なお、表示位置選択画像３７〜４０は、表示位置選択画像３３〜３６と同様に、ＤＶＤ再生画像２９の上、右、下、左の各位置のいずれかに操作キー画像２５を表示させる場所を示している。
【００５７】
以上のようにして、操作キー画像２５の表示位置を変更してＤＶＤを再生し、その再生が終了し（ステップＳ１１０：ＹＥＳ）、ナビゲーション装置１０の電源がＯＦＦになると、全ての処理が終了する（ステップＳ１１１：ＹＥＳ）。また、電源がＯＦＦとならない場合には、ステップＳ１０２からの処理が繰り返される（ステップＳ１１１：ＮＯ）。
【００５８】
なお、本発明は、上述した実施例に限定されるものではなく、本発明の要旨を逸脱しない範囲で変更することが可能である。
【００５９】
例えば、上述した実施例では、図３に示すナビゲーション画像２６から、図４に示すＤＶＤ再生画像２９に切り替える場合において、操作キー画像２５の表示位置を変更するものとして説明したが、ナビゲーション画像２６と、テレビチューナ２１によるテレビ映像と、ＤＶＤ再生画像２９との間で画像を切り替える場合においても同様に、操作キー画像２５の表示位置を適宜変更することができる。
【００６０】
また、本発明は、ＤＶＤプレーヤ２０及びテレビチューナ２１が搭載されたナビゲーション装置１０に限られるものではなく、ＤＶＤの画像のみを再生可能な画像表示装置、テレビとＤＶＤとを組み合わせた画像表示装置にも適用可能である。
【００６１】
尚、上記実施例では、本願発明における画像再生部をＤＶＤプレーヤとして説明したが、本願発明はこれに限るものではなく、例えば、インターネットから映画等の画像データをダウンロードして再生する画像再生部であったり、又はＳＤカード等の記録媒体に記録された画像データを再生する画像再生部とすることもできる。
【００６２】
さらに、操作キー画像２５の表示位置は、表示位置選択画像３３〜３６又は３７〜４０の１つから選択するのではなく、任意の位置にドラッグして移動させるようにしてもよく、また、そのサイズを任意に変更できるようにしてもよい。さらにまた、操作キー画像２５を表示させないようにする選択も可能である。
【符号の説明】
【００６３】
１０・・・ナビゲーション装置
１１・・・制御部
１２・・・ＧＰＳ受信部
１３・・・自律航法センサ
１４・・・地図情報記憶部
１５・・・経路探索部
１６・・・タッチパネル
１７・・・表示部
１８・・・表示制御部
１９・・・スピーカ
２０・・・ＤＶＤプレーヤ
２１・・・テレビチューナ
２５・・・操作キー画像
２６・・・ナビゲーション画像
２９・・・ＤＶＤ再生画像
３０・・・再生画像
３１・・・チャプタ画像
３２・・・変更要否確認画像
３３〜４０・・・表示位置選択画像
【図１】
2013012098.tif 000003
【図２】
2013012098.tif 000004
【図３】
2013012098.tif 000005
【図４】
2013012098.tif 000006
【図５】
2013012098.tif 000007
【図６】
2013012098.tif 000008